【手続補正書】
【提出日】平成18年7月3日(2006.7.3)
【手続補正１】
【補正対象書類名】明細書
【補正対象項目名】特許請求の範囲
【補正方法】変更
【補正の内容】
【特許請求の範囲】
【請求項１】  掘削歯組立体であって、
アダプタ（１２）の長手方向中心線（２２）に沿って互いに軸線方向に配置されたベース部分（２４）と鼻部分（２６）とを有するアダプタ（１２）を備えており、
前記ベース部分（２４）が、前記アダプタ（１２）を掘削機器（１８）に取り付けることを可能にするように構成され、
前記鼻部分（２６）が、自由前方端部で終端していて、前記アダプタ（１２）の長手方向中心線（２２）のそれぞれ概ね上方および下方に配設された上面（３０）および底面（４０）を有し、
前記鼻部分（２６）の上面（３０）が、長手方向中心線（２２）の両側に配置され、前記鼻部分（２６）の後端部から前方に、前記鼻部分（２６）の長さ方向にわたって延在する２つの傾斜側面（３６，３７）を有し、
前記上面（３０）の前記傾斜側面（３６，３７）の各々が水平な面に対して２５°から６０°の角度範囲延在し、
前記鼻部分（２６）の底面（４０）が、前記アダプタ（１２）の長手方向中心線（２２）の両側に配置された２つの側面（４６,４７）を有し、
前記鼻部分（２６）がさらに、軸線（５２）に沿って配設された凹部（５０）と、前記アダプタ（１２）の鼻部分（２６）の前記上面（３０）の１つの傾斜側面（３６,３７）に開口とを画定し、
前記凹部（５０）の前記軸線（５２）が前記アダプタ（１２）の前記長手方向中心線（２２）通過していて、ほぼ水平な面に対して２５°から６０°の角度範囲延在し、
掘削歯組立体がさらに、前方端部（５７）と後方端部（５８）を有する掘削歯（１４）を備えており、
前記歯（１４）の前記後方端部（５８）が、前記歯（１４）の後方端部（５８）に対して開き、内部に前記アダプタ（１２）の鼻部分（２６）の長さ方向セクションを収容するように構成されたソケット（６８）を画定し、
前記歯がさらに、前記歯（１４）とアダプタ（１２）が互いに動作可能な組合せで配置されるときに、前記アダプタ（１２）にある前記凹部（５０）と動作可能に組み合うように前記歯（１４）に配置された開口（９０，９２）を含んでおり、さらに
前記アダプタ（１２）にある前記凹部（５０）内部に収容され、前記歯（１４）にある前記開口（９０，９２）を部分的に通過し、それにより前記歯（１４）と前記アダプタ（１２）を互いに対して動作可能な組合せで取外し可能に固定する保持装置（１６）を備えている掘削歯組立体。
【請求項２】  前記アダプタ（１２）の前記上面（３０）にある各側面（３６,３７）及び／又は前記アダプタ（１２）の前記底面（４０）にある各側面（４６,４７）が概ね平面の形状を有する、請求項１に記載の掘削歯組立体。
【請求項３】  前記アダプタ（１２）にある前記凹部（５０）によって規定される前記軸線（５２）が、前記アダプタ（１２）の前記上面（３０）にある前記傾斜側面（３６，３７）の１つに概ね垂直に延在する、請求項１又は２に記載の掘削歯組立体
【請求項４】  前記アダプタ（１２）の前記鼻部分（２６）の前記凹部が、前記アダプタ（１２）の前記鼻部分（２６）の前記上面（３０）及び底面（４０）の前記傾斜側面（３６，４７，３７，４６）に両端が開口したボア（５０）を包含している、請求項１から３のいずれか１項に記載の掘削歯組立体。
【請求項５】  前記アダプタ（１２）の前記凹部（５０）によって規定される前記軸線（５２）が、前記アダプタ（１２）の前記底面（４０）にある前記側面（４６，４７）の１つに概ね垂直に延在する、請求項１から４のいずれか１項に記載の掘削歯組立体。
【請求項６】  前記凹部（５０）の前記軸線（５２）と交差した、前記アダプタ（１２）の前記鼻部分（２６）の前記底面（４０）の前記傾斜側面（４６，４７）が、前記軸線（５２）と同心に配置されたカウンターボア（２９９）を画定している、請求項１から５のいずれか１項に記載の掘削歯組立体。
【請求項７】  前記アダプタ（１２）の前記底面（４０）の各側面（４６,４７）が、水平な面に対して２５°から６５°の角度範囲内に配置されている、請求項１から６のいずれか１項に記載の掘削歯組立体。
【請求項８】  前記アダプタ（１２）の前記鼻部分（２６）の前方端（３３）の前記上面（３０）及び底面（４０）と、前記歯（１４）の対応面（７０，８０）が、前記掘削歯組立体の運転の際、前記アダプタ（１２）と前記掘削歯（１４）を安定化する支持体（３２，３３，３５，４２；７２，７４，７５，８２，８４；８５）と共に形成されている、請求項１から７のいずれか１項に記載掘削歯組立体。
【請求項９】  前記掘削歯（１４）が、前記前方端部（５７）を横切って横方向に延在する地面貫入縁部（５６）を備えており、
前記地面貫入縁部（５６）が、前記歯が掘削機器（１８）に取り付けられたときに掘削機器（１８）の縁部（２０）に概ね平行に延在し、
前記掘削歯（１４）が、前記掘削歯（１４）の後端部（５８）に開いた有底穴（６８）を画定し、
前記有底穴（６８）が上面（７０）および底面（８０）を含んでおり、
前記有底穴（６８）の前記上面（７０）および底面（８０）がそれぞれ２つの傾斜側面（７６，７７，８６，８７）を含んでおり、
前記有底穴（６８）の前記上面（７０）の各傾斜側面が、前記地面貫入縁部（５６）に対して２５°から６０°の角度範囲内にある鋭角でそれぞれ延在しており、
前記上面（７０）および底面（８０）の各側面（７６，７７，８６，８７）が、前記掘削歯の長手方向中心線（５４）の対向する横側部に配置され、
前記掘削歯（１４）がさらに、２５°から６０°の角度範囲で延在し前記有底穴（６８）の前記上面（７６，７７）および底面（８６，８７）の対向する側面を横切る一方前記掘削歯（１４）の前記長手方向中心線（５４）を通過する軸線（９４）に沿って配設された凹部（９０，９２）を画定している、請求項１から８のいずれか１項に記載の掘削歯組立体。
【請求項１０】  前記掘削歯（１４）によって形成された前記有底穴（６８）の前記上面（７０）及び底面（８０）が前記掘削歯（１４）の前記前方自由端（５７）に向かって及び互いに対して収束している、請求項９に記載の掘削歯組立体。
【請求項１１】  前記掘削歯（１４）によって形成された前記有底穴（６８）の前記上面（７０）の前記傾斜側面（７６，７７）及び／又は前記掘削歯（１４）によって形成された前記有底穴（６８）の前記底面（８０）の前記傾斜側面（８６，８７）はそれらの対向縁の間で概ね平らな形状を有している、請求項９又は１０に記載の掘削歯組立体。
【請求項１２】  前記掘削歯（１４）の前記凹部（９０，９２）によって規定された前記軸線（９４）が、前記掘削歯（１４）によって形成された前記凹部（６８）の前記上面（７０）を形成している傾斜側面（７６，７７）の一方に概ね直交して延在している、請求項９から１１のいずれか１項に記載の掘削歯組立体。
【請求項１３】  前記掘削歯（１４）によって形成され前記掘削歯（１４）の前記長手方向軸線（５４）の共通側に配置されたた前記有底穴（６８）の前記上面（７０）及び底面（８０）の前記傾斜側面（７６，７７，８６，８７）が、前記掘削歯（１４）の後端（５８）から前方へ前記掘削歯（１４）のある長さに沿って延在している共通縁部（７９，８９）に沿って結合されている、請求項９から１２のいずれか１項に記載の掘削歯組立体。
【請求項１４】  前記アダプタ（１２）及び前記掘削歯（１４）の各々が、前記掘削歯組立体の運転の際に前記掘削歯（１４）及び前記アダプタ（１２）を安定化する対応する支持面（３２，３３，３５，４２；７２，７４，７５，８２，８４，８５）を形成している、請求項９から１３のいずれか１項に記載の掘削歯組立体。
【請求項１５】  前記アダプタ（１２）の前記鼻部分（２６）が、該鼻部分の主要長さ部分に沿って概ね菱形の断面を有していて、前記アダプタ（１２）に強度と剛性を付加している、請求項１から１４のいずれか１項に記載の掘削歯組立体。
【請求項１６】  前記アダプタ（１２）の前記鼻部分（２６）の前記菱形は、前記前方自由端から前記後端へ計って断面の大きさが増加している、請求項１から１５のいずれか１項に記載の掘削歯組立体。
【請求項１７】  前記アダプタ（１２）の前記鼻部分（２６）は４つの傾斜側面（３６，３７，４６，４７）によって形成されており、
前記アダプタ（１２）の前記鼻部分（２６）の前記上面（３０）の２つの傾斜側面（３６，３７）は前記アダプタ（１２）の長手方向に延在している共通縁部（３８）に沿って互いに結合され、
前記アダプタ（１２）の前記鼻部分（２６）の前記底面（４０）の２つの傾斜側面（４６，４７）は前記アダプタ（１２）の長手方向に延在している共通縁部（４８）に沿って互いに結合されている、請求項１から１６のいずれか１項に記載の掘削歯組立体。
【請求項１８】  前記アダプタ（１２）の前記鼻部分（２６）の前記上面（３０）２つの傾斜側面（３６，３７）を結合する前記共通縁部（３８）は、湾曲した断面形状を有している、請求項１から１７のいずれか１項に記載の掘削歯組立体。
【請求項１９】  前記アダプタ（１２）の前記底面（４０）の２つの傾斜側面（４６，４７）を結合する前記共通縁部（４８）は、湾曲した断面形状を有している、請求項１から１８のいずれか１項に記載の掘削歯組立体。
【請求項２０】  前記アダプタ（１２）の前記鼻部分（２６）の前記上面（３０）及び底面（４０）の傾斜側面（３６，４６；３７，４７）であって、前記アダプタ（１２）の前記長手方向中心線（２２）の対向側に配置された傾斜側面（３６，４６；３７，４７）は、共通縁部（３９，４９）に沿って互いに結合されている、請求項１から１９のいずれか１項に記載の掘削歯組立体。
【請求項２１】  前記アダプタ（１２）の前記鼻部分（２６）の前記２つの傾斜側面（３６，４６；３７，４７）を結合する前記共通縁部（３９，４９）の各々は、湾曲した断面形状を有している、請求項１から２０のいずれか１項に記載の掘削歯組立体。
【請求項２２】  前記掘削歯（１４）の前記有底穴（６８）は４つの傾斜側面（７６，７７，８６，８７）によって形成され、前記有底穴（６８）の前記上面（７０）の前記２つの傾斜側面（７６，７７）が前記掘削歯（１４）の長手方向に延在する共通縁部（７８）に沿って互いに結合され、記有底穴（６８）の前記底面（８０）の前記２つの傾斜側面（８６，８７）が前記掘削歯（１４）の長手方向に延在する共通縁部（８８）に沿って互いに結合されている、請求項１から２１のいずれか１項に記載の掘削歯組立体。
【請求項２３】  前記有底穴（６８）の前記上面（７０）及び底面（８０）の前記傾斜側面（７６，７７，８６，８７）を結合する前記共通縁部（７８，８８）の各々は、湾曲断面形状を有している、請求項１から２２のいずれか１項に記載の掘削歯組立体。
【請求項２４】  前記掘削歯（１４）によって形成された、前記有底穴（６８）の前記上面（７０）及び底面（８０）の傾斜側面（７６，８６；７７，８７）であって、前記掘削歯（１４）の前記長手方向中心線（５４）の対向側に配置された傾斜側面（７６，８６；７７，８７）は、共通縁部（７９，８９）に沿って互いに結合されている、請求項１から２３のいずれか１項に記載の掘削歯組立体。
【請求項２５】  掘削歯組立体であって、
前方端部（５７）にわたって横方向に延在する地面貫入縁部を有する掘削歯（１４）を備えており、
前記掘削歯（１４）の後端部（５８）が、前記掘削歯（１４）の前記後端部（５８）に開いた有底穴（６８）を画定し、
前記有底穴（６８）が、互いに対して及び前記前方端部（５７）に向かって収束している上面（７０）および底面（８０）を含んでおり、
前記有底穴（６８）の前記上面（７０）が、２つの傾斜側面（７６，７７）を含み、
該有底穴（６８）の前記上面（７０）の各傾斜側面が、前記地面貫入縁部（５６）に対して２５°と６５°の間の角度範囲内にある鋭角で延在しており、
前記上面（７０）の各側面（７６，７７）が、前記掘削歯の長手方向中心線（５４）の対向する横側部に配置され、
前記有底穴（６８）の前記底面（８０）が、前記掘削歯（１４）の前記長手方向中心線（５４）の対向する横側部に配置された２つの傾斜側面（８６，８７）を含み、
前記掘削歯（１４）が、さらに、２５°から６０°の角度範囲で延在し前記有底穴（６８）の前記上面（７６，７７）および底面（８６，８７）の対向する側面を横切る一方前記掘削歯（１４）の前記長手方向中心線（５４）を通過する軸線（９４）に沿って配設されたボア（９０，９２）を画定し、
前記掘削歯組立体が、前記掘削歯組立体（１０）が地面係合装置（１８）に作動結合されることを可能にするベース部分（２４）を有するアダプタ（１２）をさらに備えており、
前記アダプタ（１２）が、前記掘削歯（１４）の前記めくら穴（６８）内に縦に嵌り前記掘削歯（１４）の前記めくら穴（６８）と協働するように形成されると共に前記ベース部分（２４）に結合された鼻部分（２６）を含み、
前記鼻部分（２６）が、後端部に向いた凹部（５０）を画定し、
前記掘削歯（１４）と前記アダプタ（１２）が互いに対して動作可能な組合せに配置されたときに、前記凹部（５０）と前記掘削歯（１４）の前記ボア（９０，９２）が、互いに対して概ね整合して配置され、
前記掘削歯組立体が、
前記アダプタ（１２）の前記凹部（５０）内に少なくとも部分的に収容されるように及び前記掘削歯（１４）の前記ボア（９０，９２）を少なくとも部分的に通過するように構成され、前記掘削歯と前記アダプタ（１２）を互いに対して動作可能な組合せに取外し可能に保持する保持装置（１６）をさらに備えている、掘削歯組立体。
【請求項２６】  前記掘削歯組立体が前記保持装置（１６）が少なくとも部分的に前記掘削歯（１４）によって画定された各ボア（９０，９２）に挿入されることを許すように組み立てられた時、前記掘削歯（１４）の前記ボア（９０，９２）は、前記アダプタ（１２）によって画定された前記凹部（５０）と概ね整合する、請求項２５に記載の掘削歯組立体。
【請求項２７】  前記アダプタ（１２）の前記鼻部分（２６）が、２つの概ね平坦な側面（３６，３７）によって画定された上面（３０）を有し、各側面は前記アダプタ（１２）の長手方向軸線（２２）の上に配置され、両側面は前記アダプタ（１２）の前記ベース部分（２４）から前方へ延在している上縁（３８）に沿って互いに結合されている、請求項２５又は２６に記載の掘削歯組立体。
【請求項２８】  前記アダプタ（１２）の前記鼻部分（２６）は、水平面に対して４５°の角度で傾斜しており、前記鼻部分（２６）は、前記ベース部分（２４）の前記共通上縁（３８）を横切って前記アダプタ（１２）の前記長手方向軸線（２２）に対して概ね直交する方向に延在しているチャネル（３５０）をさらに画定している、請求項２５から２７のいずれか１項に記載の掘削歯組立体。
【請求項２９】  前記掘削歯（１４）の底面は水平面に概ね平行に延在している概ね平坦な形状を有している、請求項２５から２８のいずれか１項に記載の掘削歯組立体。
【請求項３０】  掘削歯（１４）であって、
その前方端部（５７）にわたって概ね横方向に延在する地面貫入縁部（５６）を有する細長い概ねくさび形の部材を備えており、
前記部材の後端部（５８）が前記部材の後端部に対して開いている有底穴（６８）を画定し、
前記有底穴（６８）が、前記部材の長手方向中心線（５４）の両側に配置された上面（７０）と底面（８０）とを含んでおり、
前記上面（７０）と底面（８０）の各々が、互いに向けてかつ前記部材の前記前方端部（５７）に向けて収束しており、
前記有底穴（６８）の前記上面（７０）は２つの傾斜側面（７６，７７）を含んでおり、
前記上面（７０）の２つの傾斜側面は、前記部材の前記長手方向中心線（５４）の横側にそれぞれ配置されかつ前記地面貫入縁部（５６）に対して２５°から６５°の鋭角度範囲で延在しており、
前記部材が、前記有底穴（６８）の前記上面（７０）の前記傾斜側面の少なくとも１つに開口しているボア（９０，９２）をさらに画定しており、
前記ボア（９０，９２）の軸線（９４）が、前記部材の前記長手方向中心線（５４）を通過しかつ前記部材の前記地面貫入縁部（５６）に対して２５°から６５°の鋭角度範囲で延在している、採掘歯。
【請求項３１】  前記有底穴（６８）の前記底面（８０）は２つの傾斜側面（８６，８７）を含んでおり、前記２つの傾斜側面は前記部材の前記長手方向中心線（５４）の横側にそれぞれ配置されている、請求項３０に記載の採掘歯。
【請求項３２】  前記部材が、前記有底穴（６８）の前記上面（７０）の前記傾斜側面の一方（７６）に開口しているボア（９０）を、前記有底穴の前記底面（８０）の前記傾斜側面の一方（８７）であって、前記上面の前記一方の傾斜側面（７６）に対向している傾斜側面（８７）に開口しているボア（９２）を画定し、前記部材によって画定された両ボア（９０，９２）は互いに対して軸線方向に整合している、請求項３１又は３２に記載の採掘歯。
【請求項３３】  前記有底穴（６８）の一部を形成する前記上面（７０）の前記２つの傾斜側面（７６，７７）及び／又は前記有底穴（６８）の一部を形成する前記底面（８０）の前記２つの傾斜側面（８６，８７）の各々は概ね平坦な形状を有している、請求項３０から３２のいずれか１項に記載の採掘歯。
【請求項３４】  前記部材の前記軸線方向に整合した前記ボア（９０，９２）が、前記部材によって画定された前記有底穴（６８）の前記上面（７０）を画定する前記傾斜側面（７６，７７）の一方に概ね直交する軸線（９４）を画定している、請求項３０から３３のいずれか１項に記載の採掘歯。
【請求項３５】  前記有底穴（６８）の前記傾斜側面（７６，７７，８６，８７）は、前記掘削歯（１４）によって画定された前記有底穴（６８）の主要長さ部分にひし形断面形状を提供するように互いに対して配置されている、請求項３０から３４のいずれか１項に記載の採掘歯。
【請求項３６】  前記有底穴（６８）の前記ひし形断面形状は、有底穴の前方端部から後方端部に測って、その断面の大きさが増加している、請求項３０から３５のいずれか１項に記載の採掘歯。
【請求項３７】  前記有底穴（６８）の前記上面（７０）の前記２つの傾斜側面（７６，７７）は前記部材の長手方向に延在している共通縁（７９）に沿って互いに結合されている、請求項３０から３６のいずれか１項に記載の採掘歯。
【請求項３８】  前記有底穴（６８）の前記上面（７０）の前記２つの傾斜側面（７６，７７）を結合している前記共通縁（７９）は湾曲断面形状を有している、請求項３０から３７のいずれか１項に記載の採掘歯。
【請求項３９】  前記有底穴（６８）の前記底面（８０）の前記２つの傾斜側面（８６，８７）は前記部材の長手方向に延在している共通縁（８９）に沿って互いに結合されている、請求項３０から３８のいずれか１項に記載の採掘歯。
【請求項４０】  前記有底穴（６８）の前記底面（８０）の前記２つの傾斜側面（８６，８７）を結合している前記共通縁（８９）は湾曲断面形状を有している、請求項３０から３９のいずれか１項に記載の採掘歯。
【請求項４１】  前記有底穴（６８）の前記上面（７０）及び底面（８０）の前記傾斜側面（７６，７７，８６，８７）であって、前記部材の前記長手方向中心線（５４）の各横側に配置された傾斜側面は、前記部材の長手方向に延在している共通縁（７９，８９）に沿って互いに結合されている、請求項３０から４０のいずれか１項に記載の採掘歯。
【請求項４２】  前記部材の前記長手方向中心線（５４）の各横側に配置された前記傾斜側面（７６，８６；７７，８７）を結合する前記共通縁（７９，８９）は湾曲断面形状を有している、請求項３０から４１のいずれか１項に記載の採掘歯。
【請求項４３】  前記有底穴（６８）の前記上面（７０）及び底面（８０）の前記傾斜側面（７６，７７，８６，８７）の各々は概ね平坦な形状を有している、請求項３０から４１のいずれか１項に記載の採掘歯。
【請求項４４】  複数部片掘削歯組立体（１０）用のアダプタ（１２）であって、
細長い部材の長手方向中心線（２２）に沿って互いに軸線方向に配置されたベース部分（２４）と鼻部分（２６）とを有する細長い部材を備えており、
前記ベース部分（２４）が、前記アダプタ（１２）を掘削機器（１８）に取り付けることを可能にするように構成されており、
前記鼻部分（２６）が、前方自由端部で終端していて、前記部材の前記長手方向中心線（２２）のそれぞれ概ね上方および下方に配設された上面（３０）および底面（４０）を有し、
前記鼻部分（２６）の前記上面（３０）が、前記部材の前記長手方向中心線（２２）の対向する横側部に配置された２つの傾斜側面（３６，３７）を有し、
前記鼻部分（２６）の前記上面（３０）の前記２つの傾斜側面（３６，３７）の各々が、水平面に対して２５°から６５°の角度範囲で延在しており、
前記鼻部分が、該鼻部分の後方端部の近くに配置された凹部（５０）をさらに画定しており、
前記凹部（５０）が、軸線（５２）に沿って延在し、前記上面（３６，３７）の傾斜側面（３６，３７）の少なくとも一つに開口していて、
前記凹部（５０）の前記軸線（５２）前記部材の前記長手方向中心線（２２）を通過し、水平面に対して２５°から６５°の角度範囲で延在している、アダプタ。
【請求項４５】  前記部材の前記鼻部分（２６）の前記底面（４０）が、前記部材の前記長手方向中心線（２２）の対向する横側部に配置された２つの傾斜側面（４６，４７）を有している、請求項４４に記載のアダプタ。
【請求項４６】  前記部材の前記上面（３０）の前記傾斜側面（３６，３７）の各々は概ね平坦な形状を有している、請求項４４又は４５に記載のアダプタ。
【請求項４７】  前記アダプタ（１２）の前記鼻部分（２６）に画定された前記凹部が、前記部材の前記鼻部分（２６）の前記上面（３０）及び底面（４０）の前記傾斜側面の対向する傾斜側面（３６，４７；３７，４６）に両端が開口したボア（５０）を含んでいる、請求項４４から４６のいずれか１項に記載のアダプタ。
【請求項４８】  前記ボア（５０）によって画定された前記軸線（５２）は、前記部材の前記上面（３０）の前記傾斜側面（３６，３７）の一方に概ね直交して延在し、前記アダプタ（１２）の製作を容易にしている、請求項４４から４７のいずれか１項に記載のアダプタ。
【請求項４９】  前記部材の前記上面（３０）及び前記底面（４０）の前記傾斜側面（３６，３７、４６，４７）は、前記鼻部分（２６）がその主要長さ部分にひし形断面形状を有するように互いに対して配置されている、請求項４４から４８のいずれか１項に記載のアダプタ。
【請求項５０】  前記部材の前記鼻部分（２６）の前記長手方向中心線（２２）の両側の前記上面（３０）の前記傾斜側面（３６，３７）は前記部材の長手方向に延在している共通縁（３８）に沿って互いに結合されている、請求項４４から４９のいずれか１項に記載のアダプタ。
【請求項５１】  前記部材の前記鼻部分（２６）の前記長手方向中心線（２２）の両側の前記底面（３０）の前記傾斜側面（４６，４７）は前記部材の長手方向に延在している共通縁（４８）に沿って互いに結合されている、請求項４４から５０のいずれか１項に記載のアダプタ。
【請求項５２】  前記共通縁（３８，４８）は前記部材の直径方向に対向する側面間の距離より大きな距離に離隔している、請求項４４から５１のいずれか１項に記載のアダプタ。
【請求項５３】  前記部材の前記上面（３０）の前記傾斜側面（３６，３７）を結合している前記共通縁（３８）が湾曲断面形状を有している、請求項４４から５２のいずれか１項に記載のアダプタ。
【請求項５４】  前記部材の前記鼻部分（２６）の前記長手方向中心線（２２）の各横側に配置された前記部材の前記上面（３０）及び底面（４０）の前記傾斜側面（３６，４６；３７，４７）が前記部材の長手方向に延在している共通縁（３９，４９）に沿って互いに結合されている、請求項４４から５３のいずれか１項に記載のアダプタ。
【請求項５５】  前記部材の前記共通縁（３９，４９）は湾曲断面形状を有している、請求項４４から５４のいずれか１項に記載のアダプタ。
【請求項５６】  前記部材の前記鼻部分（２６）の前記上面（３０）及び底面（４０）が安定化支持部（３２，４２）を有している、請求項４４から５５のいずれか１項に記載のアダプタ。